(57)【要約】  本発明はＣ．Ｉ．ピグメントイエロー１８１の新規な結晶性変態（イータ型、シータ型、イオタ型、カッパ型）に関連し、この場合、本発明の新規な結晶性変態は、前記顔料の公知相の１つまたは別の本発明の相を特定の溶媒により処理したときに得られる。本発明の新規な結晶性相は黄色の色相および優れた着色特性によって特徴づけられる。【特許請求の範囲】
【請求項１】
Ｃ．Ｉ．ピグメントイエロー１８１の相変換方法であって、下記の式（１）の化合物：
【化１】
2008505229.tif 000019
または、式（１）の互変異性体、ｃｉｓ／ｔｒａｎｓ異性体または互変異性ｃｉｓ／ｔｒａｎｓ異性体を、水、ジメチルアセトアミド、ジメチルスルホキシドとＮ−メチルピロリドンとの混合物、および、１，２−ジクロロベンゼンとＮ−メチルピロリドンとの混合物からなる群から選択される溶媒の作用に４０℃から２５０℃の温度で供することを含む、方法。
【請求項２】
溶媒が１１０℃から２１０℃の温度で作用させられる、請求項１に記載の方法。
【請求項３】
溶媒が１ｂａｒから２００ｂａｒの圧力で作用させられる、請求項１または２に記載の方法。
【請求項４】
溶媒が１分間から１０時間にわたって作用させられる、請求項１から３の少なくとも一項に記載に方法。
【請求項５】
式（Ｉ）の化合物が溶媒に完全または部分的に溶解され、続いて、温度の低下、水の添加および／または溶媒のエバポレーションによって再び析出させられる、請求項１から４の少なくとも一項に記載に方法。
【請求項６】
適する場合には水分子を結晶格子にさらに含有し、Ｃｕ−Ｋα１放射線を使用して測定されたｘ線粉末回折図における下記の特徴的なシグナルによって特徴づけられる、式（１）：
【化２】
2008505229.tif 000020
のＣ．Ｉ．ピグメントイエロー１８１、または、この互変異性形態、ｃｉｓ／ｔｒａｎｓ異性形態または互変異性ｃｉｓ／ｔｒａｎｓ異性形態：
イータ型変態：
【表１】
2008505229.tif 000021
シータ型変態：
【表２】
2008505229.tif 000022
イオタ型変態：
【表３】
2008505229.tif 000023
カッパ型変態：
【表４】
2008505229.tif 000024
またはこれらの変態の混合物。
【請求項７】
イータ型変態が、下記のシグナル：
【表５】
2008505229.tif 000025
を有する、請求項６に記載の式（１）のＣ．Ｉ．ピグメントイエロー１８１。
【請求項８】
シータ型変態が、下記のシグナル：
【表６】
2008505229.tif 000026
2008505229.tif 000027
を有する、請求項６に記載の式（１）のＣ．Ｉ．ピグメントイエロー１８１。
【請求項９】
イオタ型変態が、下記のシグナル：
【表７】
2008505229.tif 000028
を有する、請求項６に記載の式（１）のＣ．Ｉ．ピグメントイエロー１８１。
【請求項１０】
カッパ型変態が、下記のシグナル：
【表８】
2008505229.tif 000029
を有する、請求項６に記載の式（１）のＣ．Ｉ．ピグメントイエロー１８１。
【請求項１１】
少なくとも１０％（好ましくは少なくとも２５％、特に少なくとも５０％、より好ましくは少なくとも７５％、最も好ましくは少なくとも９０％）の請求項６から１０で規定される変態の１つ以上を含有する、Ｃ．Ｉ．ピグメントイエロー１８１混合物。
【請求項１２】
被覆剤、プラスチック、印刷用インク、塗料、顔料配合物（具体的には、水性顔料配合物または溶媒含有顔料配合物）、電子写真用のトナーおよび現像剤、粉末被覆剤、液体インク（好ましくは、インクジェット用インク）、カラーフィルター、電子的インクの顔料着色のための、また、種子の着色のための、請求項６から１１の一項以上に記載のＣ．Ｉ．ピグメントイエロー１８１の使用。
【発明の詳細な説明】
【技術分野】
【０００１】
本発明は、下記の式（１）のＣ．Ｉ．ピグメントイエロー１８１の４つの新規な結晶性変態（イータ型、シータ型、イオタ型、カッパ型）、これらの調製、および、顔料としてのこれらの使用に関連する。
【背景技術】
【０００２】
Ｃ．Ｉ．ピグメントイエロー１８１（本明細書中以降、Ｐ．Ｙ．１８１）は、ジアゾ化された４−（４’−アミノベンゾイルアミノ）ベンズアミドの５−アセトアセチルアミノベンゾイミダゾロン（アセトロン）とのカップリング反応から得られる下記の式（１）の化合物を示す。
【０００３】
【化３】
2008505229.tif 000002
【０００４】
固体状態において、化合物（１）はまた、別の互変異性形態および／またはｃｉｓ−ｔｒａｎｓ異性形態でも存在することができ、また、適する場合には、典型的には１０重量％までの水分子をさらに含有し得る。
【０００５】
ほとんどの有機顔料は多数の異なる結晶性変態（これらは相としてもまた公知である）で存在する。結晶性変態は同じ化学的組成を有するが、結晶における構成単位（分子またはイオン）の配置が異なる。化学的性質および物理的性質を決定するのは結晶構造であり、従って、個々の結晶性変態は、多くの場合、レオロジー、色および他の色彩的性質が異なる。種々の結晶性変態をｘ線粉末回折法によって特定することができる。
【０００６】
Ｐ．Ｙ．１８１はこれまで、６つの結晶性変態を有することが公知である。これらは本明細書中下記では、アルファ型、ベータ型、ガンマ型、デルタ型、イプシロン型およびゼータ型として示される。これらはｘ線粉末回折図において下記の特徴的な線を特徴とする（Ｃｕ−Ｋα１放射線、２倍の回折角２θ（度単位）、ｄ値（Å−１度単位）、格子面間隔ｄ（Å−１単位））：
アルファ型変態（すべての線が比較的広い）
【０００７】
【表９】
2008505229.tif 000003
【０００８】
ベータ型変態：
【０００９】
【表１０】
2008505229.tif 000004
【００１０】
ガンマ型変態：
【００１１】
【表１１】
2008505229.tif 000005
【００１２】
デルタ型変態：
【００１３】
【表１２】
2008505229.tif 000006
【００１４】
イプシロン型変態：
【００１５】
【表１３】
2008505229.tif 000007
【００１６】
ゼータ型変態：
【００１７】
【表１４】
2008505229.tif 000008
【００１８】
すべての線位置が±０．２°の不確実さで示される。
【００１９】
アルファ相でのＰ．Ｙ．１８１が、４−（４’−アミノベンゾイルアミノ）ベンズアミドを５−アセトアセチルアミノベンゾイミダゾロン（アセトロン）とカップリングしたときに得られる。
【００２０】
ベータ相が、カップリング直後のＰ．Ｙ．１８１を欧州特許出願公開ＥＰ−Ａ−００１０２７３の実施例１における指示に従ってジメチルホルアミドにより処理したときに得られる。
【００２１】
ガンマ相が、カップリングをピリジン中で行い、この後、反応混合物を還流下で加熱したときに得られる。
【００２２】
デルタ相が、ベータ型変態でのＰ．Ｙ．１８１をジメチルスルホキシドにより処理したときに得られる。処理の過程で、ベータ相でのＰ．Ｙ．１８１が２００℃でＤＭＳＯに溶解され、続いて温度を下げることによって再び析出させられる。
【００２３】
イプシロン相が、Ｎ−メチルピロリドンとの処理によって類似する様式で得られる。
【００２４】
ゼータ相が、カップリングを水およびＮ−メチルピロリドンの混合物において行い、この後、反応混合物を還流下で加熱したときに得られる。
【発明の開示】
【００２５】
今回、驚くべきことに、合成直後の顔料をある種の溶媒において加熱し、顔料を部分的または完全に溶解し、続いて再び析出させたとき、Ｐ．Ｙ．１８１が４つの新規な結晶性変態で調製可能であることが見出された。これらの新規な結晶性変態は、イータ型、シータ型、イオタ型およびカッパ型として示される。
【００２６】
これらは下記の特徴的な線を特徴とする（Ｃｕ−Ｋα１放射線、２θ値（度単位）、ｄ値（Å−１単位）、室温において透過で測定されたとき）：
イータ型変態：
【００２７】
【表１５】
2008505229.tif 000009
【００２８】
シータ型変態：
【００２９】
【表１６】
2008505229.tif 000010
【００３０】
イオタ型変態：
【００３１】
【表１７】
2008505229.tif 000011
【００３２】
カッパ型変態：
【００３３】
【表１８】
2008505229.tif 000012
【００３４】
すべての線位置が±０．２°の不確実さで示される。
【００３５】
周知の一般的知識であるように、ｘ線粉末回折図における観測可能なピークの数は、特に、結晶子のサイズ分布、粒子形態の異方性、異方性の結晶性性状（特に、応力、歪みおよび結晶欠陥に関して）、サンプル量、使用された回折計、および、測定のための幾何学的配置に依存する。すべての場合における強度はさらに、特に異方性の結晶子形態の場合には組織効果に依存し、また、強度を取り出すために使用された方法に依存する。好ましい事前処理条件のもとで、下記の線を観測することができる（Ｃｕ−Ｋα１放射線、２θ値（度単位）、ｄ値（Å−１単位）、室温において透過で測定されたとき）：
イータ型変態：
【００３６】
【表１９】
2008505229.tif 000013
【００３７】
シータ型変態：
【００３８】
【表２０】
2008505229.tif 000014
2008505229.tif 000015
【００３９】
イオタ型変態：
【００４０】
【表２１】
2008505229.tif 000016
【００４１】
カッパ型変態：
【００４２】
【表２２】
2008505229.tif 000017
【００４３】
すべての線位置が±０．２°の不確実さで示される。
【００４４】
本発明の変態は、総重量に基づいて、通常的には１０重量％まで、水分子および溶媒分子を結晶格子にさらに含有し得る。
【００４５】
４つの新規な変態はすべて、難溶性であり、黄色の色相および良好な色彩的性質について注目に値する。
【００４６】
従って、本発明はＣ．Ｉ．ピグメントイエロー１８１の相変換方法を提供し、この場合、この方法は、下記の式（１）の化合物：
【００４７】
【化４】
2008505229.tif 000018
【００４８】
または、式（１）の互変異性体、ｃｉｓ／ｔｒａｎｓ異性体または互変異性ｃｉｓ／ｔｒａｎｓ異性体を、水、ジメチルアセトアミド、ジメチルスルホキシドとＮ−メチルピロリドンとの混合物、および、１，２−ジクロロベンゼンとＮ−メチルピロリドンとの混合物からなる群から選択される溶媒の作用に４０℃から２５０℃（好ましくは１１０℃から２１０℃）の温度で供することを含む。
【００４９】
新規な結晶性相を調製するための出発物資は、好ましくは、公知の変態の１つ（より好ましくは、アルファ型変態またはベータ型変態）でのＰ．Ｙ．１８１であり、しかし、新規な結晶性変態の１つ以上を、記載された手段を使用してこれ以外の新規な結晶性変態の１つに変換することもまた可能である。
【００５０】
このために、例えば、α相またはβ相での単離されたＰ．Ｙ．１８１が、好都合には本発明の溶媒に完全または部分的に溶解され、続いて、水の添加、温度の低下および／または溶媒のエバポレーションによって再び析出させられる。
【００５１】
顔料は、大気圧下だけでなく、加圧下でもまた加熱することができ、このような場合、圧力は１ｂａｒから２００ｂａｒの間が可能であり、好ましくは１ｂａｒから５０ｂａｒの間が可能である。
【００５２】
溶媒処理の継続期間は好都合には１分から１０時間が可能であり、好ましくは３０分から５時間が可能である。
【００５３】
シータ相が、ジメチルスルホキシドとＮ−メチルピロリドンとの混合物における再結晶によって得られる。この場合、Ｐ．Ｙ．１８１（例えば、ベータ相）が、２５：７５体積パーセントから７５：２５体積パーセントの混合範囲（好ましくは、４０：６０体積パーセントから６０：４０体積パーセントの混合範囲）でのジメチルスルホキシドとＮ−メチルピロリドンとの混合物に、好ましくは１５０℃から２００℃の間の温度で溶解され、続いて温度の低下および／または水の添加によって析出させられる。
【００５４】
イータ相が、２５：７５体積パーセントから７５：２５体積パーセントの混合範囲（好ましくは、４０：６０体積パーセントから６０：４０体積パーセントの混合範囲）でのＮ−メチルピロリドンと１，２−ジクロロベンゼンとの混合物を溶媒として使用して同様の様式で得られる。
【００５５】
イオタ相が、Ｐ．Ｙ．１８１（例えば、ベータ相）をジメチルアセトアミドにおいて、好ましくは１２０℃から１８０℃の間の温度に加熱し、懸濁物をろ過し、ろ液を室温に冷却したときに得られる。顔料が溶液から結晶化する。
【００５６】
カッパ相が、Ｐ．Ｙ．１８１（例えば、アルファ相）を、加圧反応器において、好都合には１分間から６時間（好ましくは１０分間から２時間）、水において、好ましくは１１０℃から１５０℃の温度（特に、１２０℃から１４０℃の温度）に加熱したときに得られる。より長く加熱することは可能であるが、これは技術的利点を何らもたらさない。続いて、顔料がろ過される。
【００５７】
出発物質の純度、濃度、用いられる温度および温度軌跡、可能な後処理、圧力、不純物または添加剤の存在、ならびに、種結晶の存在に依存して、新規な結晶性変態を純粋な形態で得ることができ、または、互いに新規な相の混合物および／または公知の相との新規な相の混合物として得ることができる。
【００５８】
純粋な結晶性変態または実質的に純粋な結晶性変態が、この変態の種結晶または結晶核を既に含有する溶液または懸濁物から処理したときに、また、結晶成長速度が比較的大きく、しかし、核形成速度が比較的低く、この結果、存在する結晶核がこの変態の保持を伴って成長する範囲で過飽和が維持されるように析出化を非常に遅く行ったとき、優先的に生じる。機械的な撹拌装置の使用が好都合である場合がある。これは、機械的な撹拌装置の使用により、所望する変態の存在する結晶が、この変態のための結晶核としてこの後に役立つ多くのより小さい断片（いわゆる二次核形成）に壊されるからである。例えば、溶液がより迅速に冷却されるために、過飽和がより大きいとき、核形成速度は一層より大きくなり、この結果、この変態および他の変態の多くの結晶核が自然に生じ得る。このことは、所望する変態から一部のみからなる変態混合物を優先的に生じさせる。
【００５９】
本発明による複数の変態の混合物、または、本発明による変態の１つ以上を、公知の変態を用いて調製することは、特定の色彩的性質およびレオロジー的性質が所望されるとき、特に、純粋な変態の性質の間である性質が所望されるときには注目され得る。
【００６０】
様々な変態の混合物を、例えば、ふるい分け、再結晶、熱処理、選択的溶解またはこれ以外の変態の抽出によって、または、特定の相の形成が有利である本発明のプロセス手段の反復した適用によって、１つの相、または、そのほかの純粋な相のより大きな割合を得るために濃縮することもまた可能である。
【００６１】
従って、本発明はまた、少なくとも１０％（好ましく少なくとも２５％、特に、少なくとも５０％、より好ましくは少なくとも７５％、最も好ましくは少なくとも９０％）のイータ型変態、シータ型変態、イオタ型変態、カッパ型変態、または、述べられた変態の混合物を含有するＰ．Ｙ．１８１混合物を提供する。
【００６２】
所望の使用分野に依存して、得られた顔料を機械的な微分割に供することが理解され得る。微分割は湿式粉砕または乾式粉砕または混練によって達成することができる。粉砕または混練の後に、溶媒による処理、水による処理、または、溶媒−水混合物による処理を、顔料を使用可能な形態に変換するために続けることができる。
【００６３】
変態の変化を促進させるために、本発明の変態を安定化させるために、色彩的性質を改善するために、また、特定の色彩的効果を得るために、顔料分散物、表面活性剤、消泡剤、増量剤または他の添加剤をプロセスの任意の所望されるところで加えることが可能である。これらの添加物質の混合物を使用することもまた可能である。添加物質は一度にすべてを加えることができ、または、２回以上に分けて加えることができる。添加物質は、合成の任意の段階で、または、様々な後処理の任意の段階で、または、後処理の後で加えることができる。最も好適な時点は範囲発見試験で事前に決定されなければならない。
【００６４】
本発明の変態におけるＰ．Ｙ．１８１、または、本発明の変態を含有する混合物におけるＰ．Ｙ．１８１は、天然起源または合成起源の高分子有機材料の顔料着色のために、例えば、被覆剤、プラスチック、樹脂、塗料、印刷用インク、顔料配合物（具体的には、水性顔料配合物または溶媒含有顔料配合物）、電子写真用のトナーおよび現像剤、液体インク、インクジェット用インク、カラーフィルターおよび電子的インクの顔料着色のために、また、種子の着色のために有用である。本発明の変態はプラスチックフィルムの着色のために特に有用である。
【００６５】
電子写真用のトナーおよび現像剤は、１成分粉末トナーまたは２成分粉末トナー（これらは１成分現像剤または２成分現像剤としてもまた公知である）、磁気トナー、液体トナー、ラテックストナー、付加重合トナー、および、同様に、特殊トナーであり、これらは当業者の間での周知の一般的知識である。
【００６６】
典型的なトナー結合剤は、付加重合樹脂、重付加樹脂および重縮合樹脂であり、例えば、スチレン樹脂、スチレン−アクリラート樹脂、スチレン−ブタジエン樹脂、アクリラート樹脂、ポリエステル樹脂、フェノール−エポキシ樹脂、ポリスルホン、ポリウレタン（個々または混合されたもの）、ならびに、同様に、ポリエチレンおよびポリプロピレンなどであり、これらはそれぞれがさらなる成分（例えば、電荷抑制剤、ワックスまたは流動補助剤など）を含有することができ、または、これらの添加によって続いて改変される。
【００６７】
インクジェット用インクは、水性または非水性のインクジェット用インク、ミクロエマルションインク、および、同様に、ホットメルトインクを示し、これらは当業者の間での周知の一般的知識である。
【実施例】
【００６８】
下記の実施例において、部および百分率は重量比である。得られた生成物の結晶性変態はｘ線粉末回折法によって決定された。
【００６９】
（実施例１）：１，２−ジクロロベンゼンおよびＮＭＰにおける再結晶によるイータ相の調製
【００７０】
ベータ相での２４部のＰ．Ｙ．１８１を５００部の１，２−ジクロロベンゼンおよび５００部のＮ−メチルピロリドンの混合物に沸騰状態で完全に溶解する。顔料を、ゆっくり室温に冷却することによって溶液から再び析出させる。これにより、Ｐ．Ｙ．１８１がイータ相で得られる。
【００７１】
（実施例２）：ＤＭＳＯおよびＮＭＰにおける再結晶によるシータ相の調製
【００７２】
実施例１を、１，２−ジクロロベンゼンの代わりにジメチルスルホキシドを使用して繰り返す。これにより、Ｐ．Ｙ．１８１がシータ相で得られる。
【００７３】
（実施例３）：ＤＭＡｃを用いた処理によるイオタ相の調製
【００７４】
ベータ相での３０部のＰ．Ｙ．１８１を１６０部のジメチルアセトアミドとともに加熱して沸騰状態にし、これにより、ジメチルアセトアミドは、少量を除いて溶解する。懸濁物をろ過する。顔料の溶解画分を、室温に冷却することによってろ液から徐々に結晶化させる。これにより、Ｐ．Ｙ．１８１がイオタ相で得られる。
【００７５】
（実施例４）：水を用いた加圧処理によるカッパ相の調製
【００７６】
アルファ相での２５部のＰ．Ｙ．１８１を、１４０℃で１２０分間、オートクレーブにおいて５００部の水とともに加熱する。懸濁物を冷却し、顔料をろ過する。プレスケークを、塩が存在しなくなるまで洗浄し、乾燥する。これにより、Ｐ．Ｙ．１８１がカッパ相で得られる。
【００７７】
（実施例５）：水を用いた加圧処理、続く氷酢酸を用いた処理によるカッパ相の調製
【００７８】
アルファ相での２５部のＰ．Ｙ．１８１を、１４０℃で１２０分間、オートクレーブにおいて５００部の水とともに加熱する。懸濁物を冷却し、顔料をろ過する。プレスケークを、塩が存在しなくなるまで洗浄し、１４００部の氷酢酸とともに１１０℃で３０分間加熱する。顔料をろ過し、プレスケークを水およびアセトンにより洗浄する。これにより、Ｐ．Ｙ．１８１がカッパ相で得られる。
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
Ｃ．Ｉ．ピグメントイエロー１８１の相変換方法であって、下記の式（１）の化合物：
【化１】
2008505229.tif 000030
または、式（１）の互変異性体、ｃｉｓ／ｔｒａｎｓ異性体または互変異性ｃｉｓ／ｔｒａｎｓ異性体を、４０℃から２５０℃の温度で、ジメチルアセトアミド、ジメチルスルホキシドとＮ−メチルピロリドンとの混合物、および、１，２−ジクロロベンゼンとＮ−メチルピロリドンとの混合物からなる群から選択される溶媒、あるいは圧力容器において１１０℃から１５０℃の温度で水の作用に供することを含む、方法。
【請求項２】
溶媒が１１０℃から２１０℃の温度で作用させられる、請求項１に記載の方法。
【請求項３】
溶媒が１ｂａｒから２００ｂａｒの圧力で作用させられる、請求項１または２に記載の方法。
【請求項４】
溶媒が１分間から１０時間にわたって作用させられる、請求項１から３の少なくとも一項に記載に方法。
【請求項５】
式（Ｉ）の化合物が溶媒に完全または部分的に溶解され、続いて、温度の低下、水の添加および／または溶媒のエバポレーションによって再び析出させられる、請求項１から４の少なくとも一項に記載に方法。
【請求項６】
適する場合には水分子を結晶格子にさらに含有し、Ｃｕ−Ｋα１放射線を使用して測定されたｘ線粉末回折図における下記の特徴的なシグナルによって特徴づけられる、式（１）：
【化２】
2008505229.tif 000031
のＣ．Ｉ．ピグメントイエロー１８１、または、この互変異性形態、ｃｉｓ／ｔｒａｎｓ異性形態または互変異性ｃｉｓ／ｔｒａｎｓ異性形態：
イータ型変態：
【表１】
2008505229.tif 000032
シータ型変態：
【表２】
2008505229.tif 000033
イオタ型変態：
【表３】
2008505229.tif 000034
カッパ型変態：
【表４】
2008505229.tif 000035
またはこれらの変態の混合物。
【請求項７】
イータ型変態が、下記のシグナル：
【表５】
2008505229.tif 000036
を有する、請求項６に記載の式（１）のＣ．Ｉ．ピグメントイエロー１８１。
【請求項８】
シータ型変態が、下記のシグナル：
【表６】
2008505229.tif 000037
2008505229.tif 000038
を有する、請求項６に記載の式（１）のＣ．Ｉ．ピグメントイエロー１８１。
【請求項９】
イオタ型変態が、下記のシグナル：
【表７】
2008505229.tif 000039
を有する、請求項６に記載の式（１）のＣ．Ｉ．ピグメントイエロー１８１。
【請求項１０】
カッパ型変態が、下記のシグナル：
【表８】
2008505229.tif 000040
を有する、請求項６に記載の式（１）のＣ．Ｉ．ピグメントイエロー１８１。
【請求項１１】
少なくとも１０％（好ましくは少なくとも２５％、特に少なくとも５０％、より好ましくは少なくとも７５％、最も好ましくは少なくとも９０％）の請求項６から１０で規定される変態の１つ以上を含有する、Ｃ．Ｉ．ピグメントイエロー１８１混合物。
【請求項１２】
被覆剤、プラスチック、印刷用インク、塗料、顔料配合物（具体的には、水性顔料配合物または溶媒含有顔料配合物）、電子写真用のトナーおよび現像剤、粉末被覆剤、液体インク（好ましくは、インクジェット用インク）、カラーフィルター、電子的インクの顔料着色のための、また、種子の着色のための、請求項６から１１の一項以上に記載のＣ．Ｉ．ピグメントイエロー１８１の使用。
【国際調査報告】
2008505229.tif 000041
2008505229.tif 000042
2008505229.tif 000043
2008505229.tif 000044